(57)【要約】      （修正有）【課題】新しいデザインの可能性を開くカール可能なギフトリボンを提供すること【解決手段】贈答品装飾用のカーリングリボン１は、平らな形状を有し、２つの対向する平行な外面を含む。カーリングリボン１は、層状の構造を有し、プラスチック材料で作られたキャリア層を含む。キャリア層の少なくとも１つの面には、紙のカバー層が貼り合わせられている。カバー層は、カーリングリボン１の視覚的な外観に責任を負い、カーリングリボン１に紙のような外観を与え、一方、キャリア層は、カーリングリボン１の引き裂き強度及び結び目を作る能力に責任を負う。【選択図】図１
2017186087.tif 000002
【特許請求の範囲】
【請求項１】
贈答品装飾用のカーリングリボンであって、平らな形状を有し、２つの対向する平行な外面を含み、
前記リボンは、層状の構造を有し、プラスチック材料のキャリア層を含み、前記キャリア層の少なくとも１つの面には、紙のカバー層が貼り合わせられている
ことを特徴とする贈答品装飾用のカーリングリボン。
【請求項２】
前記カバー層の面は、前記リボンの外面である
ことを特徴とする請求項１の包装用リボン。
【請求項３】
前記キャリア層はポリプロピレンで構成される
ことを特徴とする請求項１又は２の包装用リボン。
【請求項４】
前記キャリア層は０．２ｍｍ未満の厚さを有する
ことを特徴とする請求項１〜３のいずれか１項の包装用リボン。
【請求項５】
前記キャリア層は弾性を有する
ことを特徴とする請求項１〜４のいずれか１項の包装用リボン。
【請求項６】
前記カバー層の紙は、クラフト紙又はナトリウムクラフト紙である
ことを特徴とする請求項１〜５のいずれか１項の包装用リボン。
【請求項７】
前記カバー層の紙は、カラー印刷されており、特に単一の色で印刷されている
ことを特徴とする請求項１〜６のいずれか１項の包装用リボン。
【請求項８】
前記カバー層の紙は、５０〜１００ｇ／ｍ２の坪量を有する
ことを特徴とする請求項１〜７のいずれか１項の包装用リボン。
【請求項９】
前記カバー層は前記キャリア層に接着されている
ことを特徴とする請求項１〜８のいずれか１項の包装用リボン。
【請求項１０】
前記キャリア層の両面には、紙のカバー層が貼り合わせられている
ことを特徴とする請求項１〜９のいずれか１項の包装用リボン。
【発明の詳細な説明】
【技術分野】
【０００１】
本発明は、贈答品装飾用のカーリングリボンに関する。
【背景技術】
【０００２】
カール可能なギフトリボンが知られている。これらは、贈答品を装飾する、大抵は着色された、装飾用のリボンである。
【発明の概要】
【発明が解決しようとする課題】
【０００３】
新しいデザインの可能性を開くカール可能なギフトリボンを提供することが、本発明の目的である。
【課題を解決するための手段】
【０００４】
この背景に対して、本発明は、平らな形状を有し、２つの対向する平行な外面を有するカーリングリボンに関し、前記リボンは、層状の構造を有し、プラスチック材料のキャリア層を含む。前記キャリア層の少なくとも１つの面には、紙のカバー層が貼り合わせられている。
【０００５】
一実施形態において、前記カバー層の面は、前記リボンの前記外面である。したがって、カバー層は、リボンの視覚的な外観に責任を負い、リボンに紙のような外観を与え、一方、キャリア層は、リボンの引き裂き強度及び結び目を作る能力に責任を負う。キャリア層及びカバー層の両方ともが、カール可能な特性を有し得る。この特性は、典型的にはキャリア層により強力に形成される。カール可能な特性は、ここでは、概して平らなリボンが引き伸ばし及び部分的弾性反発（teilelastischer Rueckverformung）の後にカールするという特性であると理解される。引き伸ばしは、はさみの刃先のような鋭い刃の上で引くことによって、既知のやり方で達成され得る。
【０００６】
一実施形態において、前記キャリア層はポリプロピレンで構成される。この材料は、低コストで製造され得、好適な弾性特性を有し得る。
【０００７】
一実施形態において、前記キャリア層は０．２ｍｍ未満の厚さを有する。最適な安定性を確保するために、例えば、０．１〜０．１５ｍｍの厚さが有利である。
【０００８】
一実施形態において、前記キャリア層は弾性のある材料の特性を有する。このため、キャリア層は、引き伸ばしの後、少なくとも部分的に再び収縮する。
【０００９】
一実施形態において、前記カバー層は、紙、好ましくはクラフト紙又はナトリウムクラフト紙（Natronkraftpapier）で構成される。
【００１０】
一実施形態において、前記カバー層の前記紙は、カラー印刷されており、特に単一の色で印刷されている。したがって、プラスチック材料のキャリア層を染色する必要なしに、紙の簡単な印刷によって、リボンは特定の色を採用し得るし、リボンに特定のデザインが与えられ得る。
【００１１】
一実施形態において、前記カバー層の前記紙は、５０〜１００ｇ／ｍ２の坪量を有する。その点で、商業的に利用可能なクラフト紙が使用され得る。この坪量のおかげで、リボンには高品質な特性が与えられ、紙のような外観及び感触が際立つ。
【００１２】
一実施形態において、前記カバー層は前記キャリア層に接着されている。このことにより、リボンの特に簡単な製造が可能になる。
【００１３】
一実施形態において、前記キャリア層の両面には、紙のカバー層が貼り合わせられている。本願においてカバー層についてこれまで説明された全ての局面は、両方のカバー層においてあり得る。
【００１４】
本発明の更なる詳細及び有利な点は、図面を参照して以下に説明される例示的な実施形態から引き出され得る。
【図面の簡単な説明】
【００１５】
【図１】図１は、本発明によるカーリングリボンを巻いたものを示す。
【図２】図２は、本発明によるカーリングリボンが切り出され得る、紙で覆われたプラスチックフィルムのさまざまなシートを示す。
【発明を実施するための形態】
【００１６】
図１は、本発明による、贈答品装飾用のカーリングリボン１を示す。リボン１は、細長い平らな形状を有し、互いに平行に伸びる２つの対向する面２及び３を含む。
【００１７】
リボン２は２つの層を有し、厚さ１２５μｍの弾性のあるプロピレンのキャリア層が、６０〜８０ｇ／ｍ２の坪量を有するナトリウムクラフト紙のカバー層で、片面だけ覆われているので、リボン全体が紙のような外観を有し、その一方ではキャリア層のおかげで、はさみの刃の上での引き伸ばし及び部分的弾性反発の後に、リボンがカールし得る。
【００１８】
一実施形態において、カバー層の紙はカラー印刷されている。したがって、プラスチック材料のキャリア層を染色する必要なしに、紙の簡単な染色又は印刷によって、リボンは特定の色を採用し得るし、リボンに特定のデザインが与えられ得る。
【００１９】
製造中に、プロピレンのフィルムには、片面のみクラフト紙が張り合わされ、かつ接着され、これにより紙のような外観のシート４が得られる。これは、図２に示されており、有利なことに、非常に長く、又はエンドレスである。本発明によるリボンを簡単な方法で製造するために、このシート４から、リボン２の幅を有する細片が切り離され得る。所望の外観を有するリボン２を提供するために、紙は、例えば単一の色で印刷され得る。
【００２０】
前記リボンは、紙の、説明された例においてはクラフト紙の外観を有するが、純粋な紙のリボンとは対照的に、結び目を作ることができる。紙のみのように見える製品が、ギフトリボンとして使用され得る。この製品の独自性は、その外観及び触感によると紙製品であるがギフトリボン（カーリングリボン）の特性を有するリボンを生み出すことにある。
【図１】
2017186087.tif 000003
【図２】
2017186087.tif 000004